【手続補正書】
【提出日】平成19年2月7日(2007.2.7)
【手続補正１】
【補正対象書類名】特許請求の範囲
【補正対象項目名】全文
【補正方法】変更
【補正の内容】
【特許請求の範囲】
【請求項１】
移動可能なレンズと、アクチュエータと、該アクチュエータの駆動力を前記レンズに伝達する駆動機構とを有する光学機器の制御装置であって、
前記レンズの駆動以外の動作であって機械的な動きを伴う動作を行わせるか否かの判定を行う判定手段と、
該判定手段により前記動作を行わせると判定したときは、該動作の前に、前記駆動機構を駆動力伝達が可能な第１の状態から前記駆動力伝達が不能な第２の状態になるように前記アクチュエータを制御する制御手段とを有することを特徴とする光学機器の制御装置。
【請求項２】
前記制御手段は、前記動作の終了後に、前記駆動機構が前記第２の状態から前記第１の状態になるように前記アクチュエータを制御することを特徴とする請求項１に記載の光学機器の制御装置。
【請求項３】
前記第２の状態は、前記駆動機構における第１の方向への駆動力伝達が可能な状態と該第１の方向と反対の第２の方向への駆動力伝達が可能な状態との間の機械的な不感状態であることを特徴とする請求項１又は２に記載の光学機器の制御装置。
【請求項４】
前記動作は、発光ユニットのポップアップ動作であることを特徴とする請求項１から３のいずれか１つに記載の光学機器の制御装置。
【請求項５】
前記レンズは、フォーカスレンズであることを特徴とする請求項１から４のいずれか１つに記載の光学機器の制御装置。
【請求項６】
前記レンズは、焦点距離の変更が可能な光学系を構成するレンズであることを特徴とする請求項１から４のいずれか１つに記載の光学機器の制御装置。
【請求項７】
前記レンズは、ファインダ光学系を構成するレンズであることを特徴とする請求項６に記載の光学機器の制御装置。
【請求項８】
請求項１から６のいずれか１つに記載の制御装置と、
前記レンズにより形成された被写体像を光電変換する撮像素子とを有することを特徴とする撮影装置。
【請求項９】
請求項７に記載の制御装置と、
前記アクチュエータと、
ズーム動作が可能な撮影レンズと、
該撮影レンズにより形成された被写体像を光電変換する撮像素子と、
ズーム動作が可能なファインダ光学系と、
前記アクチュエータの駆動力を、前記撮影レンズを介して前記ファインダ光学系を構成するレンズに伝達する前記駆動機構とを有することを特徴とする撮影装置。
【請求項１０】
前記撮像素子を用いて得られた画像データを表示する表示手段を有し、
前記制御手段は、前記動作を行わせるか否かに応じて前記表示手段での表示状態を変更することを特徴とする請求項８に記載の撮影装置。
【請求項１１】
前記制御手段は、前記動作を行わせるときに、前記表示手段に特定の画像データを表示させたままとすることを特徴とする請求項１０に記載の撮影装置。
【手続補正２】
【補正対象書類名】明細書
【補正対象項目名】０００５
【補正方法】変更
【補正の内容】
【０００５】
本願第１の発明は、移動可能なレンズと、アクチュエータと、アクチュエータの駆動力を前記レンズに伝達する駆動機構とを有する光学機器の制御装置であって、レンズの駆動以外の動作であって機械的な動きを伴う動作を行わせるか否かの判定を行う判定手段と、判定手段により上記動作を行わせると判定したときは、上記動作の前に、駆動機構を駆動力伝達が可能な第１の状態から駆動力伝達が不能な第２の状態になるようにアクチュエータを制御する制御手段とを有することを特徴とする。
【手続補正３】
【補正対象書類名】明細書
【補正対象項目名】０００７
【補正方法】変更
【補正の内容】
【０００７】
本発明によれば、レンズの駆動以外の動作であって機械的な動きを伴う動作を行わせる前に駆動機構を第２の状態とすることで、該動作によってレンズの位置がずれてしまうのを抑制することができる。
【手続補正４】
【補正対象書類名】明細書
【補正対象項目名】００４７
【補正方法】変更
【補正の内容】
【００４７】
６４はシャッタスイッチ（ＳＷ２）で、上記シャッタボタンの全押し操作でＯＮとなり、撮影処理の開始を指示する。撮影処理では、撮像素子１４から読み出された信号をＡ／Ｄ変換器１６およびメモリ制御回路２２を介してメモリ３０に書き込む露光処理と、画像処理回路２０やメモリ制御回路２２での演算を用いた現像処理と、メモリ３０から読み出した画像データを圧縮・伸長回路３２で圧縮処理させた後、記録媒体２００、２１０に書き込む記録処理とが行われる。
【手続補正５】
【補正対象書類名】明細書
【補正対象項目名】００７３
【補正方法】変更
【補正の内容】
【００７３】
スルー表示状態においては、撮像素子１４、Ａ／Ｄ変換器１６、画像処理回路２０およびメモリ制御回路２２を介して画像表示メモリ２４に逐次書き込まれたデータを、メモリ制御回路２２およびＤ／Ａ変換器２６を介して画像表示ユニット２８に出力する。これにより、画像表示ユニット２８において画像が逐次表示され、電子ファインダとして機能する。
【手続補正６】
【補正対象書類名】明細書
【補正対象項目名】００７８
【補正方法】変更
【補正の内容】
【００７８】
フリーズ表示状態においては、撮像素子１４、Ａ／Ｄ変換器１６、画像処理回路２０およびメモリ制御回路２２を介した画像表示メモリ２４での画像データ書き換えを禁止される。そして、画像表示メモリ２４に最後に書き込まれた画像データを、メモリ制御回路２２およびＤ／Ａ変換器２６を介して画像表示ユニット２８に出力し、該画像表示ユニット２８で表示する。これにより、フリーズした映像が画像表示ユニット２８で表示されることになる。
【手続補正７】
【補正対象書類名】明細書
【補正対象項目名】００８８
【補正方法】変更
【補正の内容】
【００８８】
固定色表示状態においては、撮像素子１４、Ａ／Ｄ変換器１６、画像処理回路２０およびメモリ制御回路２２を介して画像表示メモリ２４に書き込まれた画像データの代わりに、差し替えた固定色の画像データを、メモリ制御回路２２およびＤ／Ａ変換器２６を介して画像表示ユニット２８に出力する。これにより、固定色の画像データ（映像）が画像表示ユニット２８で表示される。
【手続補正８】
【補正対象書類名】明細書
【補正対象項目名】００９０
【補正方法】変更
【補正の内容】
【００９０】
ステップＳ１６２において、システム制御回路５０は撮影処理を実行する。具体的には、撮像素子１４、Ａ／Ｄ変換器１６、画像処理回路２０およびメモリ制御回路２２を介して、或いはＡ／Ｄ変換器１６から直接メモリ制御回路２２を介して、メモリ３０に撮影した画像データを書き込む露光処理が行われる。また、メモリ制御回路２２、必要に応じて画像処理回路２０を用いて、メモリ３０に書き込まれた画像データを読み出して各種処理を行う現像処理が行われる。この撮影処理の詳細は図６を用いて後述する。
【手続補正９】
【補正対象書類名】明細書
【補正対象項目名】００９７
【補正方法】変更
【補正の内容】
【００９７】
このダーク取り込み処理で取り込んだダーク画像データを用い、実際に露光して得られた画像データに対して補正演算処理を行うことにより、撮像素子１４で発生する暗電流ノイズや撮像素子１４固有のキズによる画素欠損等の画質劣化を抑制することができる。このダーク取り込み処理（Ｓ１６５）の詳細は図７を用いて後述する。
【手続補正１０】
【補正対象書類名】明細書
【補正対象項目名】０１１１
【補正方法】変更
【補正の内容】
【０１１１】
このダーク取り込み処理で取り込んだダーク画像データを用いて補正演算処理を行うことにより、撮像素子１４で発生する暗電流ノイズや撮像素子１４固有のキズによる画素欠損等の画質劣化に関して、撮影した画像データを補正することができる。このダーク取り込み処理（Ｓ１８１）の詳細は図７を用いて後述する。
【手続補正１１】
【補正対象書類名】明細書
【補正対象項目名】０１１２
【補正方法】変更
【補正の内容】
【０１１２】
ステップＳ１８２では、撮影処理が実行される。具体的には、撮像素子１４、Ａ／Ｄ変換器１６、画像処理回路２０およびメモリ制御回路２２を介して、或いはＡ／Ｄ変換器から直接メモリ制御回路２２を介して、メモリ３０に撮影した画像データを書き込む露光処理を行う。また、メモリ制御回路２２、必要に応じて画像処理回路２０を用いて、メモリ３０に書き込まれた画像データを読み出して各種処理を行う。この撮影処理（Ｓ１８２）の詳細は図６を用いて後述する。
【手続補正１２】
【補正対象書類名】明細書
【補正対象項目名】０１１６
【補正方法】変更
【補正の内容】
【０１１６】
システム制御回路５０は、内部メモリ或いはメモリ５２に記憶された画像表示フラグの状態を判別する（Ｓ１８４）。ここで、画像表示フラグが設定されているならば、第３のクイックレビュー表示を行う（Ｓ１８５）。具体的には、メモリ３０から画像表示ユニット２８の表示形式に合わせて処理を行った画像データを読み出し、メモリ制御回路２２を介して画像表示メモリ２４に表示画像データの転送を行い、画像表示メモリ２４から読み出した表示画像データを画像表示ユニット２８で表示させる。
【手続補正１３】
【補正対象書類名】明細書
【補正対象項目名】０１７３
【補正方法】変更
【補正の内容】
【０１７３】
１２０４は被写体に照明光を照射するストロボユニットであり、カメラ本体１２０１に収納される収納位置とカメラ本体１２０１から突出する発光位置との間で移動可能となっている。１２０５は撮影モード等を設定するために操作されるモードダイアル、１２０６はカメラの電源ボタンである。なお、本実施例のカメラにおける他の構成については、実施例１のカメラと同様であり、同一回路等については同一符号を用いて説明する。
【手続補正１４】
【補正対象書類名】明細書
【補正対象項目名】０１８７
【補正方法】変更
【補正の内容】
【０１８７】
上述した一連の動作により、撮影レンズ１０（フォーカスレンズ）が、ストロボユニット１２０４のポップアップ動作による衝撃の影響を受け難くなり、合焦位置からずれてしまうのを抑制することができる。また、撮影レンズ１０（ズームレンズ）が所定のズームポジションからずれることもないため、撮影レンズ１０と連動する光学ファインダ１０４や、画像表示ユニット２８での表示における画角が変化することを抑制することができる。
【手続補正１５】
【補正対象書類名】図面
【補正対象項目名】図１
【補正方法】変更
【補正の内容】
【図１】
2005222002.tif 000001
【手続補正１６】
【補正対象書類名】図面
【補正対象項目名】図１２
【補正方法】変更
【補正の内容】
【図１２】
2005222002.tif 000002